(57)【要約】【課題】簡易な構成でありながら、嵌合検知機能を実現できるレバー式電気コネクタを提供する。【解決手段】本発明のレバー式電気コネクタ１は、相手コネクタ１０と嵌合可能なハウジング３１と、ハウジング３１に支持される嵌合レバー５０と、相手コネクタ１０との嵌合が完了すると、嵌合レバー５０を係止するハウジングロック３５と、嵌合検知端子１６と接触することにより、検知回路を形成する嵌合検知端子４０と、を備える。そして、嵌合検知端子４０は、嵌合レバー５０の操作がなされてから嵌合完了位置に到る前までは、嵌合検知端子１６と離れた位置に規制され、嵌合レバー５０が嵌合完了位置に達すると、嵌合検知端子１６と接触することを特徴とする。【選択図】図５
2015050036.tif 000002
【特許請求の範囲】
【請求項１】
嵌合検知用の相手検知端子を備える相手コネクタと嵌合可能なハウジングと、
前記ハウジングに支持され、嵌合完了位置に向けて操作することによって前記相手コネクタに前記ハウジングを嵌合させる嵌合レバーと、
前記ハウジングに設けられ、前記相手コネクタとの嵌合が完了すると、前記嵌合レバーを係止するハウジングロックと、
前記ハウジングに保持され、前記相手検知端子と接触することにより、検知回路を形成する嵌合検知端子と、を備え、
前記嵌合検知端子は、
前記嵌合レバーの前記操作に追従して変位する前記ハウジングロックを介して、前記相手検知端子に対する動作がなされ、
前記嵌合レバーの前記操作がなされてから前記嵌合完了位置に到る前までは、前記相手検知端子と離れた位置に規制され、
前記嵌合レバーが前記嵌合完了位置に達すると、前記相手検知端子と接触する、
ことを特徴とするレバー式電気コネクタ。
【請求項２】
前記嵌合レバーは、
前記ハウジングに回動可能に支持される一対の揺動体と、
前記一対の揺動体を連結する操作体と、を備え、
前記ハウジングロックは、
前記嵌合レバーの動作に伴う前記操作体の変位に追従して変位し、
前記嵌合検知端子は、
前記ハウジングロックの変位に追従して、前記相手検知端子に対する動作がなされる、
請求項１に記載のレバー式電気コネクタ。
【請求項３】
前記操作体は、
前記嵌合レバーが前記嵌合完了位置に到る前までに、ハウジングロックが摺動する案内面を備え、
前記案内面は、
前記嵌合の際の前記嵌合レバーの回転の向きの前方よりも後方の方が、前記嵌合レバーの回動の中心からの距離が近い、
請求項１又は２に記載のレバー式電気コネクタ。
【請求項４】
嵌合検知用の相手検知端子を備える相手コネクタとの嵌合が嵌合レバーの操作により行われ、
前記相手コネクタとの嵌合が完了すると、前記嵌合レバーを係止するハウジングロックと、
前記相手検知端子と接触することにより検知回路を形成する嵌合検知端子と、を備える電気コネクタの嵌合システムであって、
前記嵌合レバーの前記操作に追従する前記ハウジングロックを介して、前記相手検知端子に対する動作がなされ、
前記嵌合レバーの前記操作がなされてから前記嵌合完了位置に到る前までは、前記相手検知端子と離れた位置に規制され、
前記嵌合レバーが前記嵌合完了位置に達すると、前記相手検知端子と接触する、
ことを特徴とする嵌合システム。
【発明の詳細な説明】
【技術分野】
【０００１】
本発明は、嵌合相手となる電気コネクタと正規に嵌合が完了したことを検知することができる電気コネクタに関する。
【背景技術】
【０００２】
電気コネクタ（以下、単に「コネクタ」ということもある）は、用途によって多極化が進んでいる。多極化されたコネクタには、コネクタ同士の嵌合を行う際及び嵌合を解除する際に大きな力が必要となるために、レバーによる倍力効果を利用して相手コネクタとの嵌合及び嵌合の解除を行うレバー式コネクタが適用されている。
一例として、レバー式コネクタ（例えば、メス型の端子を保持）のプラグハウジングにはレバーが嵌合開始位置と嵌合完了位置との間を回動するようにレバーが取り付けられ、相手コネクタ（例えば、オス型の端子を保持する）のリセプタクルハウジングにはカムピンが設けられている。レバーを嵌合開始位置に保持した状態で両ハウジングを浅く嵌合させることによりカムピンをレバーに設けられたカム溝に進入させ、その状態からレバーを嵌合完了位置まで回転させる。そうすると、カム溝とカムピンが係合するカム作用により両ハウジングが嵌合され、両コネクタの端子が電気的に接続される。
なお、回動とは時計回りの回転及び反時計回りの回転の両者が行われ得ることを言い、時計回りの回転又は反時計回りのいずれか一方の回転は、単に回転というものとする。
【先行技術文献】
【特許文献】
【０００３】
【特許文献１】特開２０１２−１５０９５９号公報
【特許文献２】特開２００９−１１７０４５号公報
【発明の概要】
【発明が解決しようとする課題】
【０００４】
レバー式コネクタは、正規に嵌合が完了していない状態で使用に供されると、コネクタとしての機能が損なわれるため、嵌合が完了しているか確認する必要がある。
コネクタの分野において、例えば特許文献１に記載されるように、機器同士の接続が正規になされた否かを検知するために、検知用の端子を設けることが知られており、特許文献２に開示されるように、レバー式のコネクタにも嵌合検知用の端子を設けることが提案されている。特許文献２に開示されるコネクタは、相手コネクタとの嵌合過程では、嵌合検知端子を相手側の嵌合検知端子から離間させ、相手コネクタと正規の嵌合がなされると、嵌合検知端子を相手側の嵌合検知端子に接触させて、検知回路を形成する。したがって、特許文献２のコネクタによると、正規に嵌合が完了しているか否かを電気的に検知できる。
【０００５】
ところが、特許文献２に開示されるコネクタは、嵌合用のレバーの動作により変位される検知アームを設け、この検知アームの動作によって、嵌合検知端子を弾性変位させて、相手側の嵌合検知端子との接触及び非接触を制御する。また、特許文献２は、検知アームを動作させるために必要な部材（押圧部、先行押圧部）を、レバーに設けている。したがって、特許文献２のコネクタは、検知アーム及び当該部材を備える構成が複雑であり、これに起因してコストを押し上げてしまう。
本発明は、このような課題に基づいてなされたもので、簡易な構成でありながら、嵌合検知機能を実現できるレバー式電気コネクタを提供することを目的とする。また、本発明は、このレバー式電気コネクタに適用される嵌合システムを提供することを目的とする。
【課題を解決するための手段】
【０００６】
かかる目的のもとなされた、本発明のレバー式電気コネクタは、嵌合検知用の相手検知端子を備える相手コネクタと嵌合可能なハウジングと、ハウジングに支持され、嵌合完了位置に向けて操作することによって相手コネクタにハウジングを嵌合させる嵌合レバーと、ハウジングに設けられ、相手コネクタとの嵌合が完了すると、嵌合レバーを係止するハウジングロックと、ハウジングに保持され、相手検知端子と接触することにより、検知回路を形成する嵌合検知端子と、を備える。
本発明のレバー式電気コネクタは、嵌合検知端子が、嵌合レバーの操作に追従して変位するハウジングロックを介して、相手検知端子に対する動作がなされる。そして、嵌合検知端子は、嵌合レバーの操作がなされてから嵌合完了位置に到る前までは、相手検知端子と離れた位置に規制され、嵌合レバーが嵌合完了位置に達すると、相手検知端子と接触する、ことを特徴とする。
【０００７】
本発明のレバー式電気コネクタは、嵌合レバーを係止するのに欠かせないハウジングロックを用いて嵌合検知端子を動作させるので、嵌合検知端子を動作させるために格別な部材を設ける必要がない。したがって、本発明によると、簡易な構成でありながら、嵌合検知機能を実現できるレバー式電気コネクタを提供する。
【０００８】
本発明のレバー式電気コネクタにおいて、嵌合レバーは、ハウジングに回動可能に支持される一対の揺動体と、一対の揺動体を連結する操作体と、を備え、ハウジングロックは、嵌合レバーの動作に伴う操作体の変位に追従して変位し、嵌合検知端子は、ハウジングロックの変位に追従して、相手検知端子に対する動作がなされることが好ましい。
この本発明のレバー式電気コネクタは、作業者が嵌合レバーを操作する際に力を加える操作体に追従してハウジングロックが確実に変位されるので、ハウジングロックの変位に追従して嵌合検知素子は、必要な動作を確実に行なわれる。
【０００９】
本発明のレバー式電気コネクタにおいて、操作体は、嵌合レバーが嵌合完了位置に到る前までに、ハウジングロックが摺動する案内面を備え、この案内面は、嵌合の際の嵌合レバーの回転の向きの前方よりも後方の方を、嵌合レバーの回動の中心からの距離を近くすることができる。
この本発明のレバー式電気コネクタは、案内面という簡易な要素を形成することにより、ハウジングロックに必要な変位を与えることができる。
【００１０】
本発明は、嵌合検知用の相手検知端子を備える相手コネクタとの嵌合が嵌合レバーの操作により行われ、相手コネクタとの嵌合が完了すると、嵌合レバーを係止するハウジングロックと、相手検知端子と接触することにより検知回路を形成する嵌合検知端子と、を備える電気コネクタの嵌合システムとして捉えることができる。
このシステムは、嵌合レバーの操作に追従するハウジングロックを介して、相手検知端子と接触又は離間の動作がなされ、嵌合レバーの操作がなされてから嵌合完了位置に到る前までは、相手検知端子と離れた位置に規制され、嵌合レバーが嵌合完了位置に達すると、相手検知端子と接触する、ことを特徴とする。
【発明の効果】
【００１１】
本発明のレバー式電気コネクタは、嵌合レバーを係止するのに欠かせないハウジングロックを用いて嵌合検知端子を動作させるので、嵌合検知端子を動作させるのに格別な部材を設ける必要がない。したがって、本発明によると、簡易な構成でありながら、嵌合検知機能を実現できるレバー式電気コネクタを提供する。
【図面の簡単な説明】
【００１２】
【図１】本実施形態にかかるコネクタ組立体を示す斜視図である。
【図２】図１のコネクタ組立体を構成するオスコネクタを示す分解斜視図である。
【図３】図１のコネクタ組立体を構成するレバー式のメスコネクタを示す図であり、（ａ）は後方側から視た斜視図、（ｂ）は前方側から視た斜視図である。
【図４】本実施形態にかかるコネクタ組立体をメスコネクタの後方側から視た正面図であり、（ａ）はレバー操作前を示し、（ｂ）はレバー操作途中を示し、（ｃ）はレバー操作完了を示す。
【図５】（ａ）は図４のＶ−Ｖ矢視断面図であり、（ｂ）は（ａ）の部分拡大図である。
【図６】（ａ）は図４のＶＩ−ＶＩ矢視断面図であり、（ｂ）は（ａ）の部分拡大図である。
【図７】（ａ）は図４のＶＩＩ−ＶＩＩ矢視断面図であり、（ｂ）は（ａ）の部分拡大図である。
【発明を実施するための形態】
【００１３】
以下、添付図面を参照しながら、本発明の実施形態にかかる電気コネクタ組立体１を説明する。
［コネクタの構成］
はじめに、図１〜図３を参照して、電気コネクタ組立体１の構成について説明する。
電気コネクタ組立体１は、図１に示すように、相手コネクタ１０とコネクタ３０を主たる構成要素として備えている。なお、相手コネクタ１０とコネクタ３０において、互いに嵌合がなされる側を前、その反対側を後と定義する。
［相手コネクタ１０］
相手コネクタ１０は、図２に示すように、相手ハウジング１１と、相手ハウジング１１の内側に設けられ、コネクタ３０が挿入される受容室１３と、複数本のピン型の信号端子１５と、相手コネクタ１０とコネクタ３０が正規の嵌合がなされたことを検知するための嵌合検知端子１６（図５〜図７参照）と、を備えている。信号端子１５及び嵌合検知端子１６は、相手ハウジング１１に圧入により保持され、一部が受容室１３の内部に配置され、他の部分は相手ハウジング１１の外側に配置される。相手コネクタ１０は、相手ハウジング１１の外側において信号端子１５を整列状態で保持するタインプレート１７を備えている。
相手ハウジング１１は、絶縁性の樹脂を射出成形することにより一体的に形成されている。コネクタ３０のハウジング３１及び嵌合レバー５０も同様である。また、信号端子１５及び嵌合検知端子１６は、導電性及び弾性が優れる金属材料、例えば銅合金により形成されている。
【００１４】
相手コネクタ１０をより詳しく説明すると、相手ハウジング１１は、幅方向Ｘに並ぶ３つの受容室１３を備えており、各々の受容室１３にコネクタ３０が嵌合される。
相手ハウジング１１は、各々の受容室１３を、幅方向Ｘに沿って仕切る側壁１１ａと、高さ方向Ｚに沿って仕切る側壁１１ｂと、を備えている。各側壁１１ｂは、受容室１３に対向する内面１１ｃに、カムピン１２を備えている。カムピン１２は、コネクタ３０を嵌合する際に、嵌合レバー５０に設けられるカム溝５１ｂに挿入されることで嵌合レバー５０と係合し、嵌合レバー５０を所定の向きに回転させると、カム溝５１ｂの内部を移動することで、倍力効果を生じさせる。
【００１５】
嵌合検知端子１６は、図５に示されるように、受容室１３の前方に延設される一端側が、コネクタ３０に設けられる嵌合検知端子４０と接触される接触端１６ａとして機能する。相手ハウジング１１の外側に引き出される各々の他端側は、検知用の機器に接続される。
図５は断面図であるために嵌合検知端子１６は１本のみが示されているが、図２に示すように、相手ハウジング１１は、幅方向Ｘに間隔をあけて２本の嵌合検知端子１６を保持している。２本の嵌合検知端子１６は、コネクタ３０の嵌合検知端子４０が接触するまでは導通が取れないが、嵌合検知端子４０が２本の嵌合検知端子４０の双方に接触すると検知回路として機能する。
【００１６】
［コネクタ３０］
コネクタ３０は、相手コネクタ１０の受容室１３に挿入されて相手コネクタ１０と嵌合し、複数の信号端子１５と接続して信号の伝送を担う複数のソケット状の端子（以下、メス端子（図示省略））を備えている。コネクタ３０は、これら複数のメス端子を保持するハウジング３１と、ハウジング３１に回動可能に保持され、コネクタ３０を相手コネクタ１０に嵌合する際に用いられる嵌合レバー５０と、を備えるレバー式の電気コネクタである。
なお、相手コネクタ１０の３つの受容室１３に挿入されるコネクタ３０は、異なることもあるが、本実施形態では、同じコネクタ３０が用いられるものとして扱う。
【００１７】
コネクタ３０は、図３及び図５に示すように、ハウジング３１の高さ方向Ｚの上側であっては幅方向Ｘの中央に嵌合検知端子４０を備えている。
嵌合検知端子４０は、ハウジング３１に設けられる検知端子収容室３３に保持されている。検知端子収容室３３はハウジング３１の上面に開口する窓３３ａを備えており、コネクタ３０が単独で存在するときには、嵌合検知端子４０の大部分は窓３３ａを介して外部に露出している。
検知端子収容室３３は、窓３３ａよりも前方に保持壁３３ｂを備えている。保持壁３３ｂは、検知端子収容室３３を区画する底壁３３ｃと高さ方向Ｚに所定の間隔をあけて設けられており、保持壁３３ｂと底壁３３ｃの間に嵌合検知端子４０は前端側が収容される。
【００１８】
ハウジング３１は、窓３３ａよりも後方にハウジングロック３５を備えている。ハウジングロック３５は、正規の嵌合位置にある嵌合レバー５０を係止することで、コネクタ３０が相手コネクタ１０から意図せずに抜け出るのを阻止する。
ハウジングロック３５は、ハウジング３１と一体的に形成されており、ハウジング３１と接続されるヒンジ３５ａと、ヒンジ３５ａに連なり後方に向けて延設されるアーム３５ｂと、アーム３５ｂの先端（後端）に設けられる係止突起３５ｃと、を備えている。係止突起３５ｃは、上向きに突出している。ハウジングロック３５は、ヒンジ３５ａを中心にして、アーム３５ｂが係止突起３５ｃとともに回動可能とされる。ハウジングロック３５は、嵌合レバー５０を嵌合操作する際に、係止突起３５ｃが嵌合レバー５０と接触することで一旦は下向きに弾性変位（押し下げ）するが、嵌合レバー５０が正規の嵌合位置まで回転、移動すると、嵌合レバー５０との接触が解かれることで、元の位置まで弾性復帰する。
【００１９】
嵌合検知端子４０は、図５（ｂ）に示すように、長さ方向の概略中央部分でＵ字状に屈曲する折返し部４０ｃと、折返し部４０ｃに連なる一方の側に設けられる接触部４０ａと、接触部４０ａよりも後方に設けられる係止部４０ｂと、を備えている。接触部４０ａは、上方に突出しており、相手コネクタ１０の嵌合検知端子１６と直接的に接触する部位である。また、嵌合検知端子４０は、折返し部４０ｃに連なる他方の側の支持部４０ｄを備えている。嵌合検知端子４０は、折返し部４０ｃを境にして、一方の側は二股に分岐されており、接触部４０ａと係止部４０ｂは、分岐した各々に設けられる。
【００２０】
嵌合検知端子４０は、検知端子収容室３３の内部において、他方の側の支持部４０ｄが底壁３３ｃに支持される。さらに、嵌合検知端子４０は、折返し部４０ｃが保持壁３３ｂと底壁３３ｃの間の間隙に挿入されるのに加えて、係止部４０ｂがハウジングロック３５のヒンジ３５ａの下面に係止されることで、検知端子収容室３３の内部に位置決めされる。また、係止部４０ｂがヒンジ３５ａの下面に係止されているために、ハウジングロック３５が嵌合レバー５０により押し下げられると、折返し部４０ｃが弾性変形して、接触部４０ａは下向きに変位する。接触部４０ａは、この位置では、嵌合検知端子１６と接触しない。嵌合レバー５０からの負荷が解除されると、接触部４０ａは元の位置に弾性復帰する。
【００２１】
［嵌合レバー５０］
嵌合レバー５０は、ハウジング３１に回動可能に支持され、コネクタ３０を相手コネクタ１０に嵌合する際及び嵌合を解除する際に操作されることで、倍力機構として機能する。
嵌合レバー５０は、図３及び図５に示される嵌合開始位置から、図１及び図７に示される嵌合完了位置までの範囲を回動する。つまり、嵌合開始位置から時計回りに嵌合完了位置まで回転させると、コネクタ３０が相手コネクタ１０へ正規に嵌合される。
【００２２】
嵌合レバー５０は、図３に示されるように、一対のカム板（揺動体）５１と、一対のカム板５１の先端部を互いに連結する操作ロッド（操作体）５３と、を備え、全体として門型をなしている。
【００２３】
各々のカム板５１は、ハウジング３１の側壁３１ａに一体的に形成される支持軸３１ｂが挿入される軸孔５１ａが表裏を貫通して形成されている。嵌合レバー５０は支持軸３１ｂを回転中心にして、ハウジング３１に回動可能に支持される。
また、各々のカム板５１は、ハウジング３１と対向しない面側に、相手ハウジング１１のカムピン１２が係合されるカム溝５１ｂが形成されている。カム溝５１ｂは、軸孔５１ａ（支持軸３１ｂ）を境にして、操作ロッド５３が設けられる側とは反対の側に設けられており、操作ロッド５３を操作することにより、カムピン１２がカム溝５１ｂに沿って相対的にその奥に移動することにより、相手コネクタ１０とコネクタ３０の嵌合及び嵌合解除の操作が可能となっている。
【００２４】
操作ロッド５３は、図３及び図５に示すように、幅方向の中央に設けられる操作突起５４と、操作突起５４よりも回転半径の内側に設けられる作用ブロック５５と、備えている。
操作突起５４は当該回転半径の外側に突出しており、嵌合を行なう作業者はこの操作突起５４を必要な回転の向きに押すことで、嵌合及び嵌合解除の操作を行なうことができる。
【００２５】
作用ブロック５５は、図５（ｂ）に示すように、当該回転半径の内側が切り欠かれることで、いずれも平坦な第１案内面５５ａと第２案内面５５ｂを備えている。嵌合レバー５０を嵌合のために操作して回転させると、ハウジングロック３５の係止突起３５ｃは、第１案内面５５ａと第２案内面５５ｂにこの順で接触する。第１案内面５５ａと第２案内面５５ｂは、両者が連なる部分では支持軸３１ｂにある回転中心からの距離が等しいが、第１案内面５５ａよりも第２案内面５５ｂの方が回転中心からの距離が短く設定されている。特に、第２案内面５５ｂは、第１案内面５５ａと連なる地点（始点）から第２案内面５５ｂが途切れる終点に向けて、回転中心からの距離が連続的に短くなるように（傾きが）形成されている。したがって、係止突起３５ｃは、接触する相手が第１案内面５５ａから第２案内面５５ｂに移行し、さらに第２案内面５５ｂの終点に向けて移行するのにつれて、下向きに変位する量が大きくなる。コネクタ３０は、操作ロッド５３に案内面（第１案内面５５ａ，第２案内面５５ｂ）という簡易な要素を形成することにより、ハウジングロック３５に必要な変位を与えることができる。
作用ブロック５５は、また、切り欠かれた部位の裏面に、ロック面５５ｃを備える。嵌合レバー５０が嵌合完了の位置まで達すると、ハウジングロック３５の係止突起３５ｃにロック面５５ｃが係止されることで、嵌合レバー５０は嵌合解除の向きへの回転が規制される。
【００２６】
［嵌合検知端子１６と嵌合検知端子４０の接触過程］
次に、相手コネクタ１０にコネクタ３０が嵌合する際の、嵌合検知端子１６と嵌合検知端子４０が接触するに到る過程を図４〜図７を参照して説明する。
【００２７】
［嵌合操作開始前］
嵌合操作を開始するにあたり、コネクタ３０を位置決めしてから、相手コネクタ１０の受容室１３に挿入する。挿入が浅い嵌合操作の開始前の段階では、図５に示すように、嵌合レバー５０はハウジングロック３５から離れているので、ハウジングロック３５及び嵌合検知端子４０は当初の位置にある。このとき、嵌合検知端子４０の接触部４０ａは、その先端が嵌合検知端子１６と干渉する高さに達しているが、前後方向Ｙに離れた位置に規制されているので、嵌合検知端子１６と嵌合検知端子４０は導通しない。
【００２８】
［嵌合操作途中］
コネクタ３０をカムピン１２がカム溝５１ｂに挿入されるまで押し込んだならば、嵌合レバー５０を操作して回転させる。なお、図５〜図７に示される本実施形態は、嵌合の際に、嵌合レバー５０は時計回りに回転される。
図５に示す浅く嵌合された状態から嵌合レバー５０を回転させると、カムピン１２は、カム溝５１ｂに係合されながら、カム溝５１ｂの奥に相対的に移動する。この移動に伴って、コネクタ３０は、相手コネクタ１０の受容室１３の奥に向かって、つまり嵌合完了位置に向かって移動する。
一方、以下説明するように、嵌合レバー５０の操作に追従するハウジングロック３５を介して、嵌合検知端子４０が動作する。
ハウジングロック３５の係止突起３５ｃは、はじめに第１案内面５５ａに摺動しながら下向きに押し下げられる。さらに嵌合レバー５０を回転させると、係止突起３５ｃが図５から図６に示す位置から相対的に移動することで、第２案内面５５ｂと摺動することになるので、ハウジングロック３５と嵌合検知端子４０はともに下向きに変位する。係止突起３５ｃが第２案内面５５ｂを摺動する間には、嵌合検知端子４０の接触部４０ａは、前後方向Ｙには嵌合検知端子１６と干渉しうる位置まで達する。しかし、接触部４０ａの先端は、嵌合検知端子１６よりも低い位置まで押し下げられているので、嵌合検知端子１６と嵌合検知端子４０は導通しない。
【００２９】
［嵌合完了］
ハウジングロック３５の係止突起３５ｃが第２案内面５５ｂを通過し、さらに、嵌合レバー５０を回転させると、図７に示すように、作用ブロック５５が係止突起３５ｃを乗り越えて、嵌合レバー５０は嵌合完了位置に達する。そうすると、コネクタ３０は相手コネクタ１０の受容室１３の奥まで移動し、相手コネクタ１０とコネクタ３０の嵌合が完了する。
押し下げられていたハウジングロック３５は、当初の位置に弾性復帰するので、嵌合検知端子４０も当初の位置に向けて弾性復帰し、接触部４０ａは、嵌合検知端子１６に接触する。こうして嵌合検知端子１６と嵌合検知端子４０により検知回路が形成されるので、嵌合検知端子４０に接続された嵌合機器によって、両者の導通を通じて、相手コネクタ１０とコネクタ３０が正規の嵌合がなされたことを認識することができる。
一方、係止突起３５ｃが作用ブロック５５のロック面５５ｃに係止されることで、嵌合レバー５０が嵌合解除の向きへ回転するのが規制される。
【００３０】
［効果］
以上説明したように、電気コネクタ組立体１は、相手コネクタ１０へのコネクタ３０の嵌合開始から嵌合完了位置に到る前までの嵌合途中においては、コネクタ３０に設けられる嵌合検知端子４０が相手コネクタ１０の嵌合検知端子１６に接触しないが、嵌合完了位置に到るとはじめて嵌合検知端子４０が嵌合検知端子１６に接触する。したがって、本実施形態によると、作業者が嵌合レバー５０の操作を嵌合途中で止めてしまった場合には、導通が検知されないので正規の嵌合に到っていないことを認識できるのに加えて、正規の嵌合に到ると導通が検知されるので嵌合が完了していることを認識できる。
【００３１】
コネクタ３０は、嵌合レバー５０を係止するハウジングロック３５を用いて嵌合検知端子４０を動作させる。そもそもハウジングロック３５及び嵌合レバー５０はレバー式電気コネクタとして必要な要素であり、コネクタ３０はこの要素を用いて嵌合検知端子４０を動作させるので、嵌合検知端子４０を動作させるのに格別な要素を設ける必要がない。したがって、コネクタ３０によると、簡易な構成でありながら、嵌合検知機能を実現できるレバー式電気コネクタを提供する。
【００３２】
また、コネクタ３０は、作業者が嵌合レバー５０を操作する際に力を加える操作ロッド５３に追従してハウジングロック３５を確実に変位できるので、ハウジングロック３５の変位に追従する嵌合検知端子４０は、必要な動作が確実に行なわれる。
【００３３】
以上、本発明の好ましい実施形態を説明したが、本発明の主旨を逸脱しない限り、上記実施の形態で挙げた構成を取捨選択したり、他の構成に適宜変更することが可能である。
電気コネクタ組立体１（相手コネクタ１０及びコネクタ３０）の構造は例示にすぎず、例えば、受容室は３つに限らず１以上の任意の数にできる。また、嵌合検知端子４０も、相手コネクタ１０の嵌合検知端子１６とともに検知回路を構成するとともに、嵌合の過程で必要な動作が行えるのであれば、その構造は問われない。
【符号の説明】
【００３４】
１      電気コネクタ組立体
１０    相手コネクタ
１１    相手ハウジング
１１ａ，１１ｂ  側壁
１１ｃ  内面
１２    カムピン
１３    受容室
１５    信号端子
１６    嵌合検知端子
１６ａ  接触端
３０    コネクタ
３１    ハウジング
３３    検知端子収容室
３３ａ  窓
３５    ハウジングロック
３５ａ  ヒンジ
３５ｂ  アーム
３５ｃ  係止突起
４０    嵌合検知端子
４０ａ  接触部
４０ｂ  係止部
４０ｃ  折返し部
４０ｄ  変位規制部
５０    嵌合レバー
５１    カム板
５３    操作ロッド
５４    操作突起
５５    作用ブロック
５５ａ  第１案内面
５５ｂ  第２案内面
５５ｃ  ロック面
【図１】
2015050036.tif 000003
【図２】
2015050036.tif 000004
【図３】
2015050036.tif 000005
【図４】
2015050036.tif 000006
【図５】
2015050036.tif 000007
【図６】
2015050036.tif 000008
【図７】
2015050036.tif 000009